(57)【要約】【課題】衛生管理をより確実に行うことができるカップ式飲料自動販売機を提供する。【解決手段】収納容器１１内でカップ供給装置１２並びに原料供給装置２２及び液体放出装置２３が配置される空間を閉鎖するように仕切る隔壁２８と、搬送装置１９で搬送されるカップＰが通過可能なように開閉自在に前記隔壁２８に形成されたゲート２８ｃと、前記隔壁２８で仕切られることによって形成されるとともに、前記収納容器１１に形成された販売口１５で開口するベンドステージＶとを備えることを特徴とするカップ式飲料自動販売機。【選択図】　　　図１
2004030566.tif 000002
【特許請求の範囲】
【請求項１】
カップを供給するカップ供給装置と、
供給された前記カップ内に飲料または飲料用原料を投入することによってカップ入り飲料を調製する飲料調製装置と、
前記カップ供給装置及び前記飲料調製装置を収納する収納容器と、
前記収納容器に形成されて前記カップ入り飲料をこの収納容器から取り出すための販売口と、
この販売口を塞ぐとともに、この販売口に開閉自在に取り付けられた販売口扉と、
前記カップ供給装置で供給された前記カップを、前記飲料調製装置を経由して前記販売口に向かうように搬送する搬送装置とを備えるカップ式飲料自動販売機であって、
前記収納容器内で前記カップ供給装置及び前記飲料調製装置が配置される空間を閉鎖するように仕切る隔壁と、
前記隔壁で仕切られることによって形成されるとともに、前記販売口で開口するカップ配置室と、
前記搬送装置で搬送される前記カップが通過可能なように開閉自在に前記隔壁に形成されたゲートとを備えることを特徴とするカップ式飲料自動販売機。
【請求項２】
請求項１に記載のカップ式飲料自動販売機において、
前記カップ配置室の上部に形成されて、このカップ配置室内に流体を導き入れるための流入口と、
このカップ配置室の下部に形成されて、このカップ配置室内に導き入れられた流体をカップ配置室外に排出するための排出口とを備えることを特徴とするカップ式飲料自動販売機。
【請求項３】
請求項１に記載のカップ式飲料自動販売機において、
前記カップ配置室に取り付けられるとともに、このカップ配置室内を殺虫処理するための殺虫処理装置とを備えることを特徴とするカップ式飲料自動販売機。
【請求項４】
請求項３に記載のカップ式飲料自動販売機において、
前記殺虫処理装置は、前記カップ配置室内に高温の水蒸気を噴射するスチーマであることを特徴とするカップ式飲料自動販売機。
【請求項５】
請求項３に記載のカップ式飲料自動販売機において、
前記殺虫処理装置は、前記カップ配置室内にマイクロ波を照射するマイクロ波発生装置であることを特徴とするカップ式飲料自動販売機。
【発明の詳細な説明】
【０００１】
【発明の属する技術分野】
本発明は、カップ入り飲料を顧客に提供するカップ式飲料自動販売機に関する。
【０００２】
【従来の技術】
カップ式飲料自動販売機は、一般に、カップ供給装置と飲料調製装置とを備えている（例えば、特許文献１参照）。このカップ式飲料自動販売機では、周知のとおり、顧客が貨幣を投入するとともに所望の飲料を商品選択ボタンで選択すると、その飲料が飲料調製装置で調製されるとともに、カップ供給装置から供給されたカップに飲料が注ぎ込まれる。そして、顧客は、この飲料をカップ式飲料自動販売機の販売口からカップ入り飲料として受け取ることができる。
その一方で、このようなカップ式飲料自動販売機は、顧客に提供する飲料をその機内で調製するため、衛生面を考慮して機内に塵芥が入り込まないような構造になっており、例えば、販売口には販売口扉が開閉自在に配設されている。
【特許文献１】
特開平１１−１９５１７２号公報（第５頁、第８欄第９行〜第２８行参照）
【０００３】
【発明が解決しようとする課題】
しかしながら、従来のカップ式飲料自動販売機では、このような販売口扉が販売口に配設されてはいるものの、顧客が販売口から商品を取出す際にこの販売口扉は開かれるので、依然として機内に塵芥が入り込む恐れがある。
また、従来のカップ式飲料自動販売機では、機内に充填された飲料の原料や機内で飛散した飲料に誘引される昆虫類が、この自動販売機の足や電源コードなどを伝わって、例えば自動販売機のコンプレッサ室や販売口扉のわずかな隙間から機内に入り込む恐れがある。さらに昆虫類は、販売口扉が開かれた際に販売口から機内に入り込む恐れもある。そして、このようにして入り込んだ昆虫類が機内で動き廻ると、この昆虫類がカップ供給装置に充填されたカップを汚損したり、昆虫類が調製した飲料内に入り込む恐れもある。
したがって、カップ式飲料自動販売機の衛生管理に万全を期するためには、機内に通じるわずかな隙間や販売口から塵芥や昆虫類が機内に入り込むことをも想定した新たな構造のカップ式飲料自動販売機が望まれる。
そこで、本発明は、衛生管理をより確実に行うことができるカップ式飲料自動販売機を提供することを課題とする。
【０００４】
【課題を解決するための手段】
本発明者は、鋭意検討を重ねた結果、機内に通じるわずかな隙間や販売口から機内に入り込んだ塵芥や昆虫類が、例えば飲料調製装置やカップ供給装置といった調理工程部に侵入するのを防止する自動販売機の区画構造、侵入した昆虫類の駆除手段及び機内の清掃機構等を見出して本発明に到達した。
前記課題を解決するための請求項１に記載のカップ式飲料自動販売機は、カップを供給するカップ供給装置と、供給された前記カップ内に飲料または飲料用原料を投入することによってカップ入り飲料を調製する飲料調製装置と、前記カップ供給装置及び前記飲料調製装置を収納する収納容器と、前記収納容器に形成されて前記カップ入り飲料をこの収納容器から取り出すための販売口と、この販売口を塞ぐとともに、この販売口に開閉自在に取り付けられた販売口扉と、前記カップ供給装置で供給された前記カップを、前記飲料調製装置を経由して前記販売口に向かうように搬送する搬送装置とを備えるカップ式飲料自動販売機であって、前記収納容器内で前記カップ供給装置及び前記飲料調製装置が配置される空間を閉鎖するように仕切る隔壁と、前記隔壁で仕切られることによって形成されるとともに、前記販売口で開口するカップ配置室と、前記搬送装置で搬送される前記カップが通過可能なように開閉自在に前記隔壁に形成されたゲートとを備えることを特徴とする。
【０００５】
このカップ式飲料自動販売機では、カップ供給装置から供給されたカップは、搬送装置で飲料調製装置まで搬送されるとともに、カップ内には、この飲料調製装置から飲料または飲料用原料が投入される。このようにしてカップ入り飲料が調製されると、カップ入り飲料は、搬送装置で搬送されることによって、隔壁のゲートを通過した後、販売口まで至る。顧客は、販売口からカップ飲料を受け取ることができる。
【０００６】
このようなカップ式飲料自動販売機によれば、顧客がカップ入り飲料を販売口から取り出す際に、販売口扉が開かれることによって販売口からカップ配置室内に塵芥や昆虫類が入り込んだとしても、カップ供給装置や飲料調製装置が隔壁で閉鎖された空間に配置されているので、塵芥や昆虫類がカップ供給装置や飲料調製装置内に入り込むことは避けられる。したがって、カップ式飲料自動販売機の衛生管理はより確実に実行される。
【０００７】
請求項２に記載のカップ式飲料自動販売機は、請求項１に記載のカップ式飲料自動販売機において、前記カップ配置室の上部に形成されて、このカップ配置室内に流体を導き入れるための流入口と、このカップ配置室の下部に形成されて、このカップ配置室内に導き入れられた流体をカップ配置室外に排出するための排出口とを備えることを特徴とする。
【０００８】
このカップ式飲料自動販売機では、流入口からカップ配置室内に向けて流体を流入させるとともに、排出口からカップ配置室の流体を排出させれば、カップ配置室内に流体の流れを形成させることができる。その一方で、販売口から入り込んだ塵芥や昆虫類は、隔壁で仕切られたカップ供給装置や飲料調製装置が配置されている空間に侵入することができないのでカップ配置室に留められている。したがって、このようなカップ式飲料自動販売機によれば、カップ配置室内に流体の流れを形成させることによって、カップ配置室に留められている塵芥や昆虫類を、流れる流体とともに排出口からカップ配置室外に排出することができる。その結果、カップ入り飲料が隔壁を通過する際に開かれるゲートからカップ供給装置や飲料調製装置に塵芥や昆虫類が侵入する恐れがないので、カップ式飲料自動販売機の衛生管理はより確実に実行される。
【０００９】
請求項３に記載のカップ式飲料自動販売機は、請求項１に記載のカップ式飲料自動販売機において、前記カップ配置室に取り付けられるとともに、このカップ配置室内を殺虫処理するための殺虫処理装置とを備えることを特徴とする。
【００１０】
このカップ式飲料自動販売機によれば、販売口から侵入し、カップ配置室に留められた昆虫類は、殺虫処理装置によって死滅する。その結果、カップ入り飲料が隔壁のゲートを通過する際に開かれるゲートからカップ供給装置や飲料調製装置に塵芥や昆虫類が侵入する恐れがないので、カップ式飲料自動販売機の衛生管理はより確実に実行される。
【００１１】
請求項４に記載のカップ式飲料自動販売機は、請求項３に記載のカップ式飲料自動販売機において、前記殺虫処理装置は、前記カップ配置室内に高温の水蒸気を噴射するスチーマであることを特徴とする。
このカップ式飲料自動販売機によれば、スチーマで発生させた高温の水蒸気によって、カップ配置室内の昆虫類は死滅する。したがって、カップ式飲料自動販売機の衛生管理はより確実に実行される。
【００１２】
請求項５に記載のカップ式飲料自動販売機は、請求項３に記載のカップ式飲料自動販売機において、前記殺虫処理装置は、前記カップ配置室内にマイクロ波を照射するマイクロ波発生装置であることを特徴とする。
【００１３】
このカップ式飲料自動販売機によれば、マイクロ波発生装置から照射されるマイクロ波によって、カップ配置室内の昆虫類は死滅する。したがって、カップ式飲料自動販売機の衛生管理はより確実に実行される。
【００１４】
また、請求項４に記載のカップ式飲料自動販売機において、前記水蒸気を噴射する噴射口を前記カップ配置室の上部に備えているとともに、前記噴射口につながる前記カップ配置室の内壁が前記噴射口に向けて徐々に狭まるように形成されていてもよい。
【００１５】
また、請求項５に記載のカップ式飲料自動販売機において、前記マイクロ波を照射する照射口を前記カップ配置室の上部に備えているとともに、前記照射口につながる前記カップ配置室の内壁が、前記照射口に向けて徐々に狭まるように形成されていてもよい。
【００１６】
これらのカップ式飲料自動販売機では、噴射口または照射口に近づくほどカップ配置室の内部空間が狭まっていくので、例えばカップ配置室の角隅といった水蒸気やマイクロ波が十分に行きわたらない、いわゆる死角が低減される。したがって、カップ配置室内の昆虫類を効率よく水蒸気やマイクロ波で晒すことができる。
【００１７】
【発明の実施の形態】
（第１の実施の形態）
以下、図面を参照して、本発明の第１の実施の形態に係るカップ式飲料自動販売機の詳細について説明する。
図１は、第１の実施の形態に係るカップ式飲料自動販売機の内部構成部品を示す正面図である。
【００１８】
図１に示すように、本実施の形態に係るカップ式飲料自動販売機（以下、単に「自動販売機」という）１の内部には、カップ供給装置１２と、複数の原料供給装置２２と、液体放出装置２３と、ベンドステージＶとが一列に配置されている。これらカップ供給装置１２、原料供給装置２２及び液体放出装置２３は、収納容器１１内に収納されている。
【００１９】
収納容器１１には、自動販売機１の正面に面した方向に販売口１５が形成されているとともに、この収納容器１１内には、さらにカップＰを搬送する搬送レールＦがカップ供給装置１２の下方からベンドステージＶ内に至るまで敷設されている。そして、この搬送レールＦ上にはカップＰを搬送する搬送装置１９が配置されている。
また、自動販売機１の販売口１５が設けられている正面には、販売口１５に取り付けられた販売口扉１５ｃ（図３参照）と、いずれも図示しない硬貨投入口、商品選択ボタン及び添加物調節ボタンが配置されている。
【００２０】
そして、この自動販売機１は、原料供給装置２２と液体放出装置２３との間が、隔壁２６で仕切られている。そして、この隔壁２６には、カップＰを載せた搬送装置１９が通過できるように、隔壁２６にゲート２６ｃが設けられている。また、この自動販売機１は、液体放出装置２３とベンドステージＶの間が、隔壁２８で仕切られているとともに、カップＰを載せた搬送装置１９が隔壁２８を通過できるように、隔壁２８にゲート２８ｃを備えている。この隔壁２８は、収納容器１１内でカップ供給装置１２並びに原料供給装置２２及び液体放出装置２３が配置される空間を閉鎖するように仕切っている。そして、このように収納容器１１内が隔壁２８で仕切られることによって、収納容器１１内には、販売口１５で開口する前記ベンドステージＶが形成されている。なお、隔壁２８は、特許請求の範囲にいう「隔壁」に相当し、ベンドステージＶは、特許請求の範囲にいう「カップ配置室」に相当する。
さらに、自動販売機１の販売口１５側に配置された側壁Ｌとゲート２８ｃとの間のベンドステージＶには、上部に付勢ばね付き流入弁Ｍを備え、下部に排出口２７ｃを備えている。
【００２１】
また、自動販売機１は、カップ供給装置１２、原料供給装置２２及び液体放出装置２３等の制御を行う、図示しない制御装置や、液体放出装置２３に用いる炭酸ガスボンベ、飲料水用タンク、製氷機、圧縮空気を供給するコンプレッサ等を備えている。
【００２２】
図２は、図１の一部を拡大した正面図である。
図２に示すように、自動販売機１の内部のカップ供給装置１２は、自動販売機１の正面の図示しない商品選択ボタンによって選択された飲料の量に応じて、Ｓ、Ｍ、Ｌサイズ等のカップＰの大きさを自動的に選択するとともに、選択したサイズのカップを搬送装置１９上に配置するように構成されている。
【００２３】
原料供給装置２２は、飲料生成用の粉末の原料を種類別に複数あるキャニスタ（図示せず）のそれぞれに分けて保存しており、搬送装置１９に載ったカップＰが、商品選択ボタンで選択した飲料に対応した粉末の原料を供給する原料供給装置２２の投下位置に停止すると、所定量の粉末の原料をカップＰ内に供給するようになっている。なお、これら原料供給装置２２及び液体放出装置２３は、特許請求の範囲の「飲料調製装置」に相当する。
【００２４】
液体放出装置２３は、水、湯、炭酸水、フレッシュジュース、ミネラルウォータ等の液体の飲料用原料をカップＰに供給する装置である。また、液体放出装置２３は、氷も供給するようになっている。そして、この液体放出装置２３は、前記した原料供給装置２２から供給された粉末の原料に液体の原料を調合することによって、搬送装置１９上のカップＰ内で飲料を生成するようになっている。
【００２５】
ベンドステージＶは、図４（ａ）及び図４（ｂ）に示すように、上部に弁Ｍ１と付勢ばねＭ２が組み込まれた流入弁Ｍと、自動販売機１内のコンプレッサ（図示せず）から流入弁Ｍに圧縮空気を送るパイプＲと、流入弁ＭからベンドステージＶの内部に圧縮空気を流し込む流入口２７ｂとを備えている。また、ベンドステージＶは、カップＰからこぼれた液体や、販売口１５から入り込んだほこり、ゴミ等をベンドステージＶから排出するための排出口２７ｃをその下部に備えている。
【００２６】
この流入弁Ｍは、自動販売機１内のコンプレッサから圧縮空気が送られると、流入弁Ｍの弁Ｍ１と付勢ばねＭ２とが圧縮空気で押し下げられるようになっている。そして、流入口２７ｂから圧縮空気がベンドステージＶの内部に噴射されることによって、ベンドステージＶの内部のほこりやゴミ、こぼれた液体等が、排出口２７ｃから排出されるようになっている。
また、圧縮空気が流れていないときは、流入弁Ｍの弁Ｍ１が付勢ばねＭ２で上方に付勢されることによって、流入口２７ｂとパイプＲとの流通路が遮断されて、ベンドステージＶ内には空気などが流れないようになっている。
【００２７】
販売口１５には、図３（ａ）から図３（ｆ）に示すように、自動錠前機能を備えた販売口扉１５ｃが設けられている。この販売口扉１５ｃは、ベンドステージＶに飲料入りカップＰを載せた搬送装置１９が配置されている状態（図３（ｅ）及び図３（ｆ）参照）で、搬送装置１９からカップＰを取り外すとき（図３（ｆ）参照）以外は、販売口扉１５ｃは施錠されるようになっている。すなわち、ゲート２８ｃが閉まり、搬送装置１９がベンドステージＶ内の所定の位置に停止すると、販売口扉１５ｃの自動錠前機能が解除されるとともに、販売口扉１５ｃが開くことによって、ベンドステージＶから販売口１５（図４（ａ）及び図４（ｂ）参照）を介して飲料入りカップＰを取り出すことができるようになっている。
【００２８】
搬送レールＦは、図２に示すように、カップ供給装置１２の下方からベンドステージＶ内に至るように設定されている。この搬送レールＦのゲート２６ｃ及びゲート２８ｃにかかる箇所にはスリットが入れられており、ゲート２６ｃを閉めると原料供給装置２２と液体放出装置２３とが隔壁２６とゲート２６ｃとで完全に仕切られるとともに、ゲート２８ｃを閉めると液体放出装置２３とベンドステージＶとが隔壁２８とゲート２８ｃとで完全に仕切られるようになっている。また、搬送レールＦは、搬送装置１９の駆動電力を流すことができるように構成されている。
【００２９】
搬送装置１９は、例えば、搬送レールＦ上を移動するための車輪と、この車輪に動力を供給するためのモータと、搬送装置１９上でカップＰを保持するホルダＮとで構成することができる。このモータの電力は、搬送レールＦから取り込むようになっている。
このように構成された搬送装置１９は、搬送レールＦに流す電力を調整することによって、カップ供給装置１２の下方からベンドステージＶまでの搬送レールＦに沿って移動又は停止をしながらカップＰを搬送することができるようになっている。
また、搬送装置１９を移動させるにあたって、搬送装置１９の内部にモータを搭載する代わりに、搬送装置１９の移動方法としてベルトによる移動手段が用いられてもよい。
【００３０】
隔壁２６は、カップ供給装置１２及び原料供給装置２２が収納される空間と、液体放出装置２３が収納される空間とを仕切るとともに、搬送装置１９が通過するためのゲート２６ｃを備えている。隔壁２８は、液体放出装置２３が収納される空間とベンドステージＶを構成する空間とを仕切るとともに、搬送装置１９が通過するためのゲート２８ｃを備えている。このようにして隔壁２６及び隔壁２８で仕切られることによって、カップ供給装置１２及び原料供給装置２２と、液体放出装置２３との間は遮断されている。
【００３１】
ゲート２６ｃは、隔壁２６に設けられた開閉手段であり、原料供給装置２２の下方から液体放出装置２３の下方に向かって搬送装置１９が移動するときに、搬送装置１９の移動に合わせてゲート２６ｃは開くとともに、搬送装置１９が通過すると、ゲート２６ｃが閉じるようになっている。
ゲート２８ｃは、隔壁２８に設けられた開閉手段であり、液体放出装置２３の下方からベンドステージＶに向かって搬送装置１９が移動するときに、搬送装置１９の移動に合わせてゲート２８ｃは開くとともに、搬送装置１９が通過すると、ゲート２８ｃが閉じるようになっている。
この開閉手段は、モータ、ベルト、ばね、圧縮空気等を用いてゲート２８ｃ及びゲート２６ｃを開閉するようになっており、自動販売機１の内部に設けられた図示しない制御装置によってゲート２８ｃ，２６ｃの開閉の制御が行われている。
【００３２】
次に、このように構成された自動販売機１の動作について説明する。
図３（ａ）から図３（ｆ）は、搬送装置１９の移動に応じたゲート２６ｃ、ゲート２８ｃ及び販売口扉１５ｃの動作を示した平面図である。なお、初期状態としてゲート２８ｃ、ゲート２６ｃ及び販売口扉１５ｃは閉じているものとする。まず、自動販売機１の正面の図示しない硬貨投入口から硬貨が投入され、商品選択ボタンで飲料が選択されると、図２に示すように、自動販売機１の内部のカップ供給装置１２から搬送装置１９にカップＰが配置される。搬送装置１９にカップＰが配置されると、搬送装置１９は、商品選択ボタンで選択された飲料に応じた粉末の原料を供給する原料供給装置２２の原料投下位置に移動する。そして、搬送装置１９がその原料投下位置に停止すると同時に、原料供給装置２２は、カップＰ内に粉末の原料を供給する。ここで、粉末の原料が入ったカップＰが搬送装置１９に載った状態を図３（ａ）に示す。
【００３３】
次に、所定の粉末の原料がカップＰに投入されると、カップＰを載せた搬送装置１９は、図２及び図３（ｂ）に示すように、液体放出装置２３の下方に移動する。このように搬送装置１９が移動するにあたって、原料供給装置２２と液体放出装置２３との間のゲート２６ｃが開かれる。そして、図３（ｃ）に示すように、搬送装置１９が液体放出装置２３の下方に移動すると、ゲート２６ｃは閉じられる。
搬送装置１９が液体放出装置２３の投下位置に停止すると、液体放出装置２３は、粉末の原料入りのカップＰ内に所定の液体の原料を投入する。以下、粉末の原料入りカップＰに液体が供給されたものを飲料入りカップＰと記載する。
【００３４】
飲料入りカップＰを載せた搬送装置１９は、図２及び図３（ｄ）に示すように、ベンドステージＶに移動する。このように搬送装置１９が移動するにあたって、液体放出装置２３とベンドステージＶとの間のゲート２８ｃは開かれる。
【００３５】
次に、図２及び図３（ｅ）に示すように、ベンドステージＶに飲料入りカップＰを載せた搬送装置１９がベンドステージＶ内に移動すると、ゲート２８ｃが閉じられる。なお、飲料入りカップＰを載せた搬送装置１９がベンドステージＶに移動している間は、販売口１５の販売口扉１５ｃは施錠されている。
そして、搬送装置１９がベンドステージＶ内の所定の位置で停止すると、販売口１５の販売口扉１５ｃは、自動錠前機能によって開錠される。したがって、図３（ｆ）に示すように、販売口扉１５ｃを開くことによって、ベンドステージＶから販売口１５を介して飲料入りカップＰを取り出すことができる。
【００３６】
次に、ベンドステージＶの清掃方法について説明する。図４は、図２のベンドステージを部分的に拡大した正面図である。
【００３７】
図４（ａ）に示すように、ベンドステージＶに飲料入りカップＰが載った搬送装置１９が配置されている状態では、ベンドステージＶの上部に設けた流入弁Ｍは閉じており、流入弁Ｍから空気などが流れ込まないようになっている。また、排出口２７ｃは、飲料入りカップＰからのこぼれた液体などを排出することができるようになっている。
【００３８】
図４（ｂ）に示すように、搬送装置１９に載っている飲料入りカップＰが販売口１５から取り出されるとともに、販売口１５に設けられた販売口扉１５ｃ（図３参照）が閉じられると、この販売口扉１５ｃは施錠される。そして、販売口扉１５ｃが施錠されると、自動販売機１の内部に配設されたコンプレッサは、圧縮空気をベンドステージＶの上部に設けた流入弁Ｍの流入口２７ｂからベンドステージＶ内に向けて噴射する。このような圧縮空気の噴射によって、ベンドステージＶの内部のほこり、ゴミ、こぼれた液体等が、排出口２７ｃから排出される。
【００３９】
このように構成された自動販売機１によれば、この機内にカップ供給装置１２及び原料供給装置２２と、液体放出装置２３と、ベンドステージＶとを一列に配備し、それぞれ隔壁２６，２８で仕切り、この隔壁２６にはゲート２６ｃを、そして隔壁２８にはゲート２８ｃを備え、自動販売機１の正面に備える販売口１５の販売口扉１５ｃに自動錠前機能を備えることによって、飲料入りカップＰを取り出す際に、販売口１５の販売口扉１５ｃからほこりやゴミ等がベンドステージＶ内に侵入しても、ゲート２８Ｃ及び隔壁２８があるために、液体放出装置２３にほこりやゴミが入ることがない。また、ゲート２６ｃ及び隔壁２６があるために、原料供給装置２２及びカップ供給装置１２にほこりやゴミが侵入することがなく、ベンドステージＶより先のこれら装置側へのほこりやゴミの侵入を防止できるので、衛生面の向上が図られる。
【００４０】
また、ベンドステージＶにほこりやゴミなどが侵入した場合でも、ベンドステージＶの上部に設けた流入弁Ｍの流入口２７ｂから圧縮空気をベンドステージＶの空間内に吹付けることによって、ほこりやゴミなどを下部に設けた排出口２７ｃから排出させることができる。そのため、飲料入りカップＰが搬送装置１９によってベンドステージＶに搬送されてきても、飲料入りカップＰ内にほこりやゴミが混入することは防止される。
【００４１】
また、このような自動販売機１によれば、飲料入りカップＰを取り出す際に、販売口１５の販売口扉１５ｃから昆虫類がベンドステージＶ内に侵入しても、ゲート２８ｃ及び隔壁２８があるために、液体放出装置２３に昆虫類が入ることがない。また、ゲート２６ｃ及び隔壁２６があるために、原料供給装置２２及びカップ供給装置１２に昆虫類が侵入することがなく、ベンドステージＶより先のこれら装置側への昆虫類の侵入を防止できるので、衛生面の向上が図られる。
【００４２】
（第２の実施の形態）
次に、図面を参照して、本発明の第２の実施の形態に係るカップ式飲料自動販売機の詳細について説明する。なお、この第２の実施の形態において、前記第１の実施の形態と同様の構成要素については同一符号を付し、その説明は省略する。
図５（ａ）は、第２の実施の形態に係るカップ式飲料自動販売機の一部断面図を含む平面図、図５（ｂ）は、図５（ａ）に示したカップ式飲料自動販売機の一部断面図を含む側面図である。
【００４３】
図５（ａ）に示すように、本実施の形態に係るカップ式飲料自動販売機（以下、単に「自動販売機」という）２は、扇形に配置した複数の原料供給装置２２からなる装置群と、原料供給装置２２の装置群の両端に配置されたカップ供給装置１２と、これら原料供給装置２２及びカップ供給装置１２に対して隔壁２６を介して配置された液体放出装置２３と、この液体放出装置２３に対して隔壁２８を介して配置されたベンドステージＶとを備えている。この自動販売機２は、各原料供給装置２２及び各カップ供給装置１２のそれぞれが、扇形の中心位置に粉末の原料やカップＰを排出するようになっている。カップ供給装置１２と液体放出装置２３の間は、隔壁２６で仕切られており、液体放出装置２３とベンドステージＶの間は、隔壁２８で仕切られている。これら隔壁２６及び隔壁２８には、それぞれ、開閉自在なゲート２６ｃ及びゲート２８ｃが配置されている。また、ベンドステージＶが対面する外壁Ｕには、販売口１５が形成されており、この販売口１５には、自動錠前機能を備えた販売口扉１５ｃが取り付けられている。また、自動販売機２の内部には、図示しない制御装置や、炭酸ガスボンベ、飲料水用タンク、製氷機、コンプレッサ等が配設されている。なお、初期状態としてのゲート２８ｃ、ゲート２６ｃ及び販売口扉１５ｃは閉じている。
【００４４】
また、自動販売機２の販売口１５が設けられる正面には、図示しない硬貨投入口と、商品選択ボタン及び添加物調節ボタン等が配置されている。
ここで、カップ供給装置１２、原料供給装置２２、液体放出装置２３等の構成は、第１の実施の形態に示したものと同様の構成である。
【００４５】
このように構成された自動販売機２は、外部正面の硬貨投入口から所定金額の硬貨が投入された後、商品選択ボタンで飲料が選択されると、図５（ａ）及び図５（ｂ）に示すように、カップ供給装置１２から搬送装置１９にカップＰが供給される。その後、第１の実施の形態と同様にしてカップＰ内には、原料供給装置２２から選択ボタンで選択された飲料に応じた粉末の原料が供給される。
【００４６】
そして、原料入りカップＰを載せた搬送装置１９がカップ供給装置１２と液体放出装置２３の間の隔壁２６に設けられたゲート２６ｃを通過し、液体放出装置２３の下方の所定の位置に停止すると、液体放出装置２３は、カップＰ内に液体の原料や氷等を投入する。なおゲート２６ｃは、搬送装置１９が通過した後に閉じられる。
【００４７】
そして、カップＰ内では、原料供給装置２２から供給された粉末の原料と液体の原料とが調合されることによって飲料が生成される。以下、粉末の原料入りカップＰに液体が供給されたものを飲料入りカップＰと記載する。
【００４８】
次に、飲料入りカップＰを載せた搬送装置１９は、液体放出装置２３の下方からベンドステージＶに向かって進行する。ゲート２８ｃは、搬送装置１９が通過した後に閉じられる。そして、搬送装置１９がベンドステージＶの所定の位置に停止すると、販売口扉１５ｃは自動錠前機能によって開錠される。したがって、販売口扉１５ｃを開くことによって、ベンドステージＶから販売口１５を介して飲料入りカップＰを取り出すことができる。
【００４９】
そして、飲料入りカップＰが、ベンドステージＶから取り出されるとともに販売口扉１５ｃが閉じられると、自動錠前機能によって販売口扉１５ｃが施錠される。そして、販売口扉１５ｃが施錠されると、自動販売機２の内部に設けられた図示しないコンプレッサからベンドステージＶに設けられた流入弁Ｍ（図５（ｂ）参照）に圧縮空気が送られることによって、流入口２７ｂを通じてベンドステージＶに圧縮空気が吹付けられる。このように圧縮空気が吹付けられることによって、ベンドステージＶの内部は清掃されるとともに、ベンドステージＶの下部に設けられた排出口２７ｃからほこりやゴミなどは排出される。
【００５０】
このような自動販売機２によれば、飲料入りカップＰを取り出す際に販売口１５からほこりやゴミ等がベンドステージＶに侵入しても、ベンドステージＶと液体放出装置２３との間が、隔壁２８及びゲート２８ｃで仕切られているため、ベンドステージＶに侵入したほこりやゴミ等が液体放出装置２３に侵入することは防止される。
【００５１】
また、販売口１５からみて液体放出装置２３よりも自動販売機２の奥に配置されているカップ供給装置１２及び原料供給装置２２は、液体放出装置２３との間が隔壁２６及びゲート２６ｃで仕切られているため、液体放出装置２３にほこりやゴミが侵入した場合でも、ここからほこりやゴミがカップ供給装置１２や原料供給装置２２に侵入することは防止される。
【００５２】
また、ベンドステージＶ内に、ほこりやゴミなどが侵入した状態で販売口扉１５ｃが施錠されている場合でも、流入弁Ｍの流入口２７ｂから圧縮空気がベンドステージＶに吹付けられることによって、ほこりやゴミが排出口２７ｃから排出されるので、ベンドステージＶ内の衛生状態は良好に維持される。
【００５３】
さらに、自動販売機２は、複数の原料供給装置２２を扇型に配置するとともに、その両端部にカップ供給装置１２を設けているので、自動販売機２の内部構成がコンパクトになり、搬送装置１９の移動距離が短くなる。このため自動販売機２の商品選択ボタンを押してから、飲料入りカップＰを取り出すまでに要する工程時間が短縮される。
【００５４】
（第３の実施の形態）
次に、図面を参照して、本発明の第３の実施の形態に係るカップ式飲料自動販売機について説明する。なお、この第３の実施の形態において、前記第１の実施の形態と同様の構成要素については同一符号を付し、その説明は省略する。
参照する図面において、図６（ａ）及び図６（ｂ）は、本発明の第３の実施の形態に係る自動販売機の販売口扉周りの構造を上方からみたときの概略図である。
【００５５】
図６（ａ）及び図６（ｂ）に示すように、本実施の形態に係るカップ式飲料自動販売機（以下、単に「自動販売機」という）３は、第１実施形態及び第２実施形態の自動販売機１，２のベンドステージＶに代えて、ベンドステージＶ１及びベンドステージＶ２を備えている。これらベンドステージＶ１及びベンドステージＶ２は、外壁Ｕに沿って相互に並んで配列されるとともに、販売口１５に対して左右に移動可能となっている。また、この自動販売機３には、ベンドステージＶ１及びベンドステージＶ２が移動することによって、各ベンドステージＶ１，Ｖ２が販売口１５と接続されなくなったときに、各ベンドステージＶ１，Ｖ２を密閉状態にするための壁Ｔが設けられている。これらベンドステージＶ１及びベンドステージＶ２の移動には、モータ、歯車、ベルト等の移動手段が用いられればよい。
【００５６】
この自動販売機３では、図６（ａ）に示すように、ベンドステージＶ１が販売口１５に接続している時は、もう一方のベンドステージＶ２は、自動販売機３の正面の販売口扉１５ｃ、商品選択ボタン等が配置される外壁Ｕ及び壁Ｔで密閉されている。したがって、ベンドステージＶ２の上部、すなわち第１の実施の形態の自動販売機１（図２参照）と同様の位置に配置された流入弁Ｍ（図２参照）からベンドステージＶ２内に圧縮空気を流し込むことによって、ベンドステージＶ２の下部、すなわち第１の実施の形態の自動販売機１（図２参照）と同様の位置に配置された排出口２７ｃ（図２参照）からベンドステージＶ２内のほこりやゴミ等が排出されるので、この自動販売機３は、衛生状態が良好に維持される。
【００５７】
また、この自動販売機３では、ベンドステージＶ１内の搬送装置１９から飲料入りカップＰが取り出された後、販売口１５の販売口扉１５ｃが閉じるのと同時に自動錠前機能により販売口扉１５ｃが施錠される。そして、図６（ｂ）に示すように、ベンドステージＶ１とベンドステージＶ２とが平行移動するとともに、販売口１５にベンドステージＶ２が接続する。この時、外壁Ｕと壁ＴによってベンドステージＶ１は密閉状態になる。したがって、ベンドステージＶ１の上部に設けられる流入弁ＭからベンドステージＶ１内に圧縮空気を流し込むことによって、ベンドステージＶ１内のほこりやゴミ等が排出口２７ｃから排出されるので、この自動販売機３では、衛生状態が良好に維持される。
【００５８】
したがって、この自動販売機３によれば、ベンドステージＶ１又はベンドステージＶ２のどちらか一方を利用している時は、片方を清掃することによって常に衛生状態の維持を行い、飲料入りカップＰがベンドステージＶ１又はベンドステージＶ２に搬送されたときに、常にきれいな状態で利用できるようになっている。
なお、ベンドステージＶ１とベンドステージＶ２の設置の仕方は特に限定されるものではなく、装置の構成に合わせて左右又は上下に設ける構成としてもよい。
コメント：以下の第３及び第４の実施の形態に記載した事項は、今回の新出願における加入事項です。なお、下線は省略しています。
【００５９】
（第４の実施の形態）
次に、図面を参照して、本発明の第４の実施の形態に係るカップ式飲料自動販売機の詳細について説明する。なお、この第４の実施の形態において、前記第１の実施の形態と同様の構成要素については同一符号を付し、その説明は省略する。
参照する図面において、図７は、第４の実施の形態に係るカップ式飲料自動販売機の内部構成部品を示す正面図、図８は、図７のベンドステージの天井部を構成する隔壁の外観を示す部分拡大斜視図である。
【００６０】
図７に示すように、本実施の形態に係るカップ式飲料自動販売機（以下、単に「自動販売機」という）４は、第１の実施の形態に係る自動販売機１（図２参照）と同様に、カップ供給装置１２、原料供給装置２２、液体放出装置２３、隔壁２６，２８、ゲート２６ｃ，ゲート２８ｃ、搬送装置１９、ベンドステージＶ、販売口１５及び販売口扉１５ｃを備えるとともに、さらに自動販売機４の内部には、制御装置１７並びにいずれも図示しない炭酸ガスボンベ、飲料水用タンク、製氷機、コンプレッサ、硬貨投入口、商品選択ボタン及び添加物調節ボタンが配設されている。
【００６１】
また、この自動販売機４は、ベンドステージＶの上部に高温の水蒸気を発生するスチーマ２０を備えるとともに、ベンドステージＶ内にスチーマ２０で発生させた水蒸気を噴射させるためのノズル１６と、スチーマ２０とノズル１６とを接続する配管１８と、この配管１８の途中に配置された電磁弁１４とを備えている。なお、スチーマ２０は、特許請求の範囲にいう「殺虫処理装置」に相当する。
【００６２】
スチーマ２０は、高温の水蒸気を発生させるとともに、発生した水蒸気を配管１８内に送り込むようになっている。このスチーマ２０としては、高温の水蒸気を発生することができればよく、公知の構成のものを使用することができる。このスチーマ２０の配置位置としては、前記したベンドステージＶの上部に限定されず、自動販売機４の内部空間のいずれの位置であってもよい。
【００６３】
ノズル１６は、図８を併せて参照すると明らかなように、ベンドステージＶの天井部を構成する四角錐状の隔壁２９の頂上部に取り付けられている。
【００６４】
電磁弁１４は、制御装置２０に接続されており、その開閉の切替えが制御装置１７によって制御されている。この電磁弁１４は、このように開閉が切り替えられることによって、ノズル１６から水蒸気を噴射させ、あるいはその噴射を停止させるようになっている。
【００６５】
制御装置１７は、第１の実施の形態に使用される制御装置と同様に、ゲート２６ｃ，２８ｃの開閉動作並びに販売口扉１５ｃの施錠及び開錠動作を制御するとともに、これらゲート２６ｃ，２８ｃの開閉動作並びに販売口扉１５ｃの施錠及び開錠動作に関連付けて電磁弁１４の開閉を切り替えることにより、ノズル１６における水蒸気の噴射時期を制御するように構成されている。
【００６６】
ノズル１６における水蒸気の噴射時期は、例えば、顧客が商品選択ボタンで所望の飲料を選択したことによって、ゲート２６ｃ，２８ｃが開く前、あるいは顧客が販売口１５から商品を取り出して販売口扉１５ｃが閉じた後、あるいは顧客が商品選択ボタンで所望の飲料を選択していないが、販売口扉１５ｃが開いた後などに設定することができる。
【００６７】
次に、この自動販売機４の動作について説明する。この自動販売機４では、顧客が図示しない商品選択ボタンで所望の飲料を選択すると、第１の実施の形態と同様にして、カップ供給装置１２から供給されたカップＰを搬送装置１９がベンドステージＶに向けて搬送する途中で、原料供給装置２２及び液体放出装置２３からカップＰ内に固体及び液体の原料が投入されることによって飲料が生成される。そして、この自動販売機４では、第１の実施の形態と同様にして、カップＰがベンドステージＶに向けて搬送される際に、ゲート２６ｃ，２８ｃは、その開閉が制御装置１７によって制御されるとともに、販売口扉１５ｃは、制御装置１７によってその施錠及び開錠の動作が制御される。
【００６８】
また、この自動販売機４は、制御装置１７によって前記したタイミングでノズルからベンドステージＶ内に向けて高温の水蒸気を噴射する。すなわち、この自動販売機４は、前記したようにゲート２６ｃ，２８ｃが開く前にベンドステージＶ内にノズルから高温の水蒸気を噴射することによって、販売口扉１５ｃが開かれてベンドステージＶに入り込んだ昆虫類を駆除する。
【００６９】
ノズル１６から噴射する水蒸気の温度及び水蒸気の噴射時間は、昆虫類を駆除することができる温度及び噴射時間であれば特に制限はないが、ベンドステージＶ内での最低温度が７０℃以上に維持されるように水蒸気を噴射するのが好ましく、昆虫類の駆除効果に対するスチーマ２０における熱効率を考慮すると、１０４℃程度の水蒸気を５秒程度噴射するのがさらに好ましい。また、このように水蒸気を噴射するにあたって、ノズル１６における水蒸気の噴射率は、使用する水（常温）の容積に換算して０．７ｃｍ３　／秒程度に設定すればよい。
【００７０】
このような自動販売機４によれば、第１の実施の形態と同様に、販売口扉１５ｃ（図３参照）を開いてベンドステージＶから飲料入りカップＰを取り出す際に、販売口１５からほこりやゴミ、昆虫類がベンドステージＶ内に侵入しても、ゲート２８ｃ及び隔壁２８があるために、液体放出装置２３にほこりやゴミ、昆虫類が入ることがない。また、ゲート２６ｃ及び隔壁２６があるために、原料供給装置２２及びカップ供給装置１２にほこりやゴミ、昆虫類が侵入することがなく、ベンドステージＶより先のこれら装置側へのほこりやゴミ、昆虫類の侵入を防止できるので、衛生面の向上が図られる。
【００７１】
また、このような自動販売機４によれば、前記した所定のタイミングでベンドステージＶ内に高温の水蒸気が噴射されることによって、ベンドステージＶに入り込んだ昆虫類は駆除される。したがって、搬送装置１９が移動する際にゲート２６ｃ，２８ｃが開かれても、カップ供給装置１２、原料供給装置２２及び液体放出装置２３内に昆虫類が侵入するのを防止することができる。
【００７２】
また、ベンドステージＶの天井部を構成する隔壁２９は、四角錐状になっているので、ベンドステージＶ内で水蒸気が行き届かない死角の形成を極力低減させることができる。したがって、ベンドステージＶ内の昆虫類に効率よく水蒸気を噴射することができる。
【００７３】
なお、本実施の形態では、ノズル１６から水蒸気が噴射されるように構成したが、本発明の自動販売機４は、ノズル１６から熱水が噴射されるように構成してもよい。このような自動販売機４では、スチーマ２０に代えて熱水供給装置が使用されればよい。また、ノズル１６から噴射させる熱水の温度及び噴射時間は、昆虫類を駆除することができる温度及び噴射時間であれば特に制限はないが、昆虫類の駆除効果に対する熱水供給装置における熱効率を考慮すると、８０℃程度の熱水を３０秒程度噴射するのが好ましい。
このような自動販売機によれば、昆虫類を駆除することができるとともに、ベンドステージＶ内を洗浄することもできる。
【００７４】
（第５の実施の形態）
次に、図面を参照して、本発明の第５の実施の形態に係るカップ式飲料自動販売機の詳細について説明する。なお、この第５の実施の形態において、前記第１の実施の形態と同様の構成要素については同一符号を付し、その説明は省略する。
参照する図面において、図９は、第５の実施の形態に係るカップ式飲料自動販売機の内部構成部品を示す正面図、図１０は、図９のベンドステージの天井部を構成する隔壁の外観を示す部分拡大斜視図である。
【００７５】
図９に示すように、本実施の形態に係るカップ式飲料自動販売機（以下、単に「自動販売機」という）５は、第１の実施の形態に係る自動販売機１（図２参照）と同様に、カップ供給装置１２、原料供給装置２２、液体放出装置２３、隔壁２６，２８、ゲート２６ｃ，ゲート２８ｃ、搬送装置１９、ベンドステージＶ、販売口１５及び販売口扉１５ｃを備えるとともに、さらに自動販売機５の内部には、制御装置２１並びにいずれも図示しない炭酸ガスボンベ、飲料水用タンク、製氷機、コンプレッサ、硬貨投入口、商品選択ボタン及び添加物調節ボタンが配設されている。
【００７６】
また、この自動販売機５は、ベンドステージＶにマイクロ波発生装置３３（マグネトロン）を備えている。このマイクロ波発生装置３３は、図１０を併せて参照すると明らかなように、ベンドステージＶの天井部を構成する四角錐状の隔壁３０の頂上部に導波管３２を介して取り付けられている。この隔壁３０には、通気孔２７ｂが形成されている。この通気孔２７ｂは、後記する排気装置を使用してベンドステージＶの空気を排出する際に、ベンドステージＶ内に空気を取り入れるためのものである。
【００７７】
マイクロ波発生装置３３は、制御装置２１に接続されており、マイクロ波発生装置３３のオン・オフの切替えが制御装置２１によって制御されている。このマイクロ波発生装置３３は、このようにオン・オフが切り替えられることによって、ベンドステージＶ内にマイクロ波を照射し、あるいはその照射を停止するようになっている。なお、このマイクロ波発生装置３３は、特許請求の範囲にいう「殺虫処理装置」に相当する。
【００７８】
制御装置２１は、第１の実施の形態に使用される制御装置と同様に、ゲート２６ｃ，２８ｃの開閉動作並びに販売口扉１５ｃ（図３参照）の施錠及び開錠動作を制御するとともに、これらゲート２６ｃ，２８ｃの開閉動作並びに販売口扉１５ｃの施錠及び開錠動作に関連付けてマイクロ波発生装置３３のオン・オフを切り替えることにより、マイクロ波の照射時期を制御するように構成されている。
【００７９】
マイクロ波の照射時期は、例えば、顧客が商品選択ボタンで所望の飲料を選択したことによって、ゲート２６ｃ，２８ｃが開く前、あるいは顧客が商品を販売口１５から商品を取り出して販売口扉１５ｃが閉じた後、あるいは顧客が商品選択ボタンで所望の飲料を選択していないが、販売口扉１５ｃが開いた後などに設定することができる。
【００８０】
ベンドステージＶの床部には、第１の実施の形態と同様に、排出口２７ｃが形成されるとともに、この排気口２７ｃには、排気ダクト３４を介して排気装置３５（排気ファン）が取り付けられている。そして、排気口２７ｃと排気装置３５とを繋ぐ排気ダクト３４の途中には、さらにトラップ３６が配置されている。
【００８１】
次に、この自動販売機５の動作について説明する。この自動販売機５では、顧客が図示しない商品選択ボタンで所望の飲料を選択すると、第１の実施の形態と同様にして、カップ供給装置１２から供給されたカップＰを搬送装置１９がベンドステージＶに向けて搬送する途中で、原料供給装置２２及び液体放出装置２３からカップＰ内に固体及び液体の原料が投入されることによって飲料が生成される。そして、この自動販売機４では、第１の実施の形態と同様にして、カップＰがベンドステージＶに向けて搬送される際に、ゲート２６ｃ，２８ｃは、その開閉が制御装置２１によって制御されるとともに、販売口扉１５ｃ（図３参照）は、制御装置２１によってその施錠及び開錠の動作が制御される。
【００８２】
また、この自動販売機５は、制御装置２１によって前記したタイミングでマイクロ波発生装置３３からベンドステージＶ内に向けてマイクロ波を照射する。すなわち、この自動販売機５は、前記したようにゲート２６ｃ，２８ｃが開く前にベンドステージＶ内にマイクロ波を照射することによって、販売口扉１５ｃが開かれてベンドステージＶに入り込んだ昆虫類を駆除する。
【００８３】
また、この自動販売機５は、マイクロ波の照射が終了すると、排気装置３５が駆動しはじめる。ベンドステージＶの空気が排出口２７ｃから排出されるとともに、ベンドステージＶの天井部を構成する隔壁３０に形成された通気孔２７ｂから空気がベンドステージＶ内に空気が流れ込む。その結果、ベンドステージＶ内には、天井部から床部に向かう気流が発生する。この気流によって、ベンドステージＶ内の昆虫類の死骸は、排出口２７ｃから排気ダクト３４を介してトラップ３６に運ばれる。運ばれた昆虫類の死骸は、トラップ３６で捕獲される。
【００８４】
このような自動販売機５によれば、第１の実施の形態と同様に、販売口扉１５ｃを開いてベンドステージＶから飲料入りカップＰを取り出す際に、販売口１５からほこりやゴミ、昆虫類がベンドステージＶ内に侵入しても、ゲート２８ｃ及び隔壁２８があるために、液体放出装置２３にほこりやゴミ、昆虫類が入ることがない。また、ゲート２６ｃ及び隔壁２６があるために、原料供給装置２２及びカップ供給装置１２にほこりやゴミ、昆虫類が侵入することがなく、ベンドステージＶより先のこれら装置側へのほこりやゴミ、昆虫類の侵入を防止できるので、衛生面の向上が図られる。
【００８５】
また、このような自動販売機５によれば、前記した所定のタイミングでベンドステージＶ内にマイクロ波が照射されることによって、ベンドステージＶに入り込んだ昆虫類は駆除される。したがって、搬送装置１９が移動する際にゲート２６ｃ，２８ｃが開かれても、カップ供給装置１２、原料供給装置２２及び液体放出装置２３内に昆虫類が侵入するのを防止することができる。
【００８６】
また、ベンドステージＶの天井部を構成する隔壁３０は、四角錐状になっているので、ベンドステージＶ内でマイクロ波が行き届かない死角の形成を極力低減させることができる。したがって、ベンドステージＶ内の昆虫類に効率よくマイクロ波を照射することができる。
【００８７】
また、この自動販売機５によれば、ベンドステージＶに付設された排気装置３５によって、ベンドステージＶ内の昆虫類の死骸がベンドステージＶ外へ排除される。したがって、この自動販売機５は、ベンドステージＶ内の衛生状態を良好に維持することができる。
【００８８】
以上、本発明の実施の形態について説明したが、本発明の自動販売機はこれらの実施の形態によって限定されるものではない。例えば、第１の実施の形態及び第２の実施の形態に係る自動販売機１，２は、カップ供給装置１２及び原料供給装置２２と液体放出装置２３との間を隔壁２６で仕切る構成としたが、隔壁２６を取り外し、カップ供給装置１２、原料供給装置２２及び液体放出装置２３とベンドステージＶとの間を隔壁２８で仕切る構成としてもよい。
【００８９】
また、第１の実施の形態に係る自動販売機１は、カップ供給装置１２と原料供給装置２２との間に隔壁を設けてこれら装置をこの隔壁で仕切る構成としてもよい。
【００９０】
また、第１乃至第４の実施の形態に係る自動販売機１，２，３，４では、ベンドステージＶ内に圧縮空気、水蒸気または熱水を噴射するように構成したが、本発明はこれに限定されるものではなく、例えば、流入口２７ｂやノズルからベンドステージＶ内に消毒剤を散布するようにし、下部の排出口２７ｃから消毒剤を強制排気するように構成してもよい。
【００９１】
また、本発明の自動販売機は、カップＰ内に投入した粉末の原料と液体の原料とを撹拌するためのスクリューを備えた攪拌手段を備えていてもよい。
【００９２】
また、販売口１５に設けた販売口扉１５ｃは、手動で開けるものであってもよいが、制御装置で販売口扉１５ｃの開閉が制御される自動式であってもよい。また、本発明の自動販売機に使用される販売口扉は、第１乃至第４の実施の形態で示した回動式の販売口扉１５ｃに代えてスライド式のものであってもよい。
【００９３】
また、第４及び第５の実施の形態に係る自動販売機４，５では、ベンドステージＶの天井部を構成する隔壁２９，３０を四角錐状にしたが、これら隔壁２９，３０は、円錐形状であってもよい。
【００９４】
また、第５の実施の形態では、導波管３２を介してマイクロ波発生装置３３を取り付けたが、導波管３２に代えて同軸ケーブルが使用されてもよい。
【００９５】
また、第１乃至第５の実施の形態では、ゲート２６ｃ及びゲート２８ｃがスライドして開閉するように構成したが、本発明の自動販売機では、ゲート２６ｃ及びゲート２８ｃが水平方向に延びる支軸を中心に回動して開く回動式のものであってもよい。
【００９６】
また、本発明の自動販売機は、第１乃至第５の実施の形態におけるベンドステージＶを、スペーサによって搬送装置１９が移動する方向に沿って並ぶ複数の小室に分割するとともに、前記スペーサには、搬送装置１９で搬送されるカップＰが通過可能なように開閉自在にゲートが形成されていてもよい。
【００９７】
また、このような自動販売機は、複数の前記小室のうち少なくとも１つにスチーマ２０やマイクロ波発生装置３３が取り付けられていればよい。
【００９８】
このような自動販売機によれば、販売口１５からカップ供給装置１２並びに原料供給装置２２及び液体放出装置２３に至る塵芥や昆虫類の侵入路がスペーサで分断されているので、カップ供給装置１２並びに原料供給装置２２及び液体放出装置２３への昆虫類の侵入がさらに確実に回避される。
また、第１乃至第５の実施の形態では、原料供給装置２２及び液体放出装置２３からそれぞれ供給される粉末の原料及び液体の原料をカップＰ内に投入することによってカップ入り飲料を調製するように構成しているが、本発明の自動販売機は、これに限定されず、例えばフレッシュジュースやミネラルウォータのように液体放出装置２３から供給される飲料をカップＰに投入することによってカップ入り飲料を調製するように構成してもよい。
また、第１乃至第５の実施の形態における飲料調製装置は、原料供給装置２２及び液体放出装置２３で構成しているが、本発明の自動販売機は、これに限定されず、例えばコーヒー豆を供給するキャニスタ、ミル及びブリューワ等を有するレギュラコーヒー供給装置をさらに含む飲料調製装置を備えるものであってもよい。
【００９９】
また、第１乃至第５の実施の形態の自動販売機では、前記したコンプレッサを配置するコンプレッサ室を自動販売機内に設けるようにしているが、これに限定されるものではなく、当該コンプレッサ室は、自動販売機と別体で自動販売機外に配置してもよい。このような自動販売機によれば、より確実に塵芥や昆虫類の機内への侵入を防止することができる。
【０１００】
【発明の効果】
本発明のカップ式飲料自動販売機によれば、衛生管理をより確実に行うことができる。
【図面の簡単な説明】
【図１】第１の実施の形態に係るカップ式飲料自動販売機の内部構成部品を示す正面図である。
【図２】図１の一部を拡大した正面図である。
【図３】図３（ａ）〜図３（ｆ）は、搬送装置の移動による各ゲート、販売口扉の動作を示した平面図である。
【図４】図４（ａ）は、ベンドステージの流入弁が閉じた状態を示す正面図、図４（ｂ）は、ベンドステージの流入弁が開いた状態を示す正面図である。
【図５】図５（ａ）は、第２の実施の形態に係るカップ式飲料自動販売機の一部断面図を含む平面図、図５（ｂ）は、図５（ａ）に示したカップ式飲料自動販売機の一部断面図を含む側面図である。
【図６】図６（ａ）及び図６（ｂ）は、本発明の第３の実施の形態に係る自動販売機の販売口扉周りの構造を上方からみたときの概略図である。
【図７】第４の実施の形態に係るカップ式飲料自動販売機の内部構成部品を示す正面図である。
【図８】図７のベンドステージの天井部を構成する隔壁の外観を示す部分拡大斜視図である。
【図９】第５の実施の形態に係るカップ式飲料自動販売機の内部構成部品を示す正面図である。
【図１０】図９のベンドステージの天井部を構成する隔壁の外観を示す部分拡大斜視図である。
【符号の説明】
１，２，３，４，５　　カップ式飲料自動販売機（自動販売機）
１１　　収納容器
１２　　カップ供給装置
１５　　販売口
１５ｃ　　販売口扉
１９　　搬送装置
２０　　スチーマ（殺虫処理装置）
２２　　原料供給装置（飲料調製装置）
２３　　液体放出装置（飲料調製装置）
２７ｂ　　流入口
２７ｃ　　排出口
２８　　隔壁
２８ｃ　　ゲート
３３　　マイクロ波発生装置（殺虫処理装置）
Ｖ　　ベンドステージ（カップ配置室）
【図１】
2004030566.tif 000003
【図２】
2004030566.tif 000004
【図３】
2004030566.tif 000005
【図４】
2004030566.tif 000006
【図５】
2004030566.tif 000007
【図６】
2004030566.tif 000008
【図７】
2004030566.tif 000009
【図８】
2004030566.tif 000010
【図９】
2004030566.tif 000011
【図１０】
2004030566.tif 000012